(57)【特許請求の範囲】
【請求項１】
用紙搬送方向と交差する用紙幅方向の両縁部に複数の送り孔が用紙搬送方向に沿って形成されたトラクタ用紙の前記送り孔に、挿入されるピンを複数有し、前記トラクタ用紙の用紙幅方向で相互に間隔をあけて配置され、輪転することで前記トラクタ用紙を搬送する無端状の一対のピンベルトと、
前記一対のピンベルトのそれぞれに設けられ、前記送り孔に対する前記ピンの挿入による前記ピンベルトへの前記トラクタ用紙の装着の基準を示す基準部と、
を備え、
前記基準部は、前記ピンベルトのそれぞれに複数設けられ、
前記基準部は、前記ピンベルトにおける前記ピンの列において二つ又は三つの前記ピンおきに設けられ、
前記基準部は、前記ピンベルトにおける前記ピンの列の歯抜け部によって形成されたことを特徴とするプリンタ。
【請求項２】
請求項１に記載のプリンタを備えることを特徴とする情報処理装置。
【発明の詳細な説明】
【技術分野】
【０００１】
本発明の実施形態は、プリンタおよび情報処理装置に関する。
【背景技術】
【０００２】
従来、プリンタの搬送機構として、輪転する左右一対のピンベルトによってトラクタ用紙を搬送するトラクタが知られている。
【０００３】
このようなピンベルトの外周面には、ピンベルトの長手方向に沿って一定のピッチでピンが形成されている。また、トラクタ用紙の幅方向の両縁部には、紙送り方向（搬送方向）に沿って、ピンと同じピッチで当該ピンが挿入される送り孔が形成されている。作業者は、トラクタ用紙を、トラクタ上に、トラクタ用紙の幅方向両側の送り孔に左右一対のピンベルトのピンがそれぞれ挿入される状態に載せて、セットする。そして、トラクタがピンベルトを輪転させ、セットされたトラクタ用紙を搬送する。
【発明の概要】
【発明が解決しようとする課題】
【０００４】
しかしながら、上記従来のトラクタでは、左右一対のピンベルトにトラクタ用紙を装着する際に、トラクタ用紙の孔とピンベルトのピンとの関係が左右で例えば１ピンずれてしまい、トラクタ用紙の装着不良が発生することがある。
【課題を解決するための手段】
【０００５】
実施形態のプリンタは、無端状の一対のピンベルトと、前記一対のピンベルトのそれぞれに設けられた基準部と、を備える、前記一対のピンベルトは、用紙搬送方向と交差する用紙幅方向の両縁部に複数の送り孔が用紙搬送方向に沿って形成されたトラクタ用紙の前記送り孔に、挿入されるピンを複数有する。前記一対のピンベルトは、前記トラクタ用紙の用紙幅方向で相互に間隔をあけて配置され、輪転することで前記トラクタ用紙を搬送する。前記基準部は、前記送り孔に対する前記ピンの挿入による前記ピンベルトへの前記トラクタ用紙の装着の基準を示す。前記基準部は、前記ピンベルトのそれぞれに複数設けられている。前記基準部は、前記ピンベルトにおける前記ピンの列において二つ又は三つの前記ピンおきに設けられている。前記基準部は、前記ピンベルトにおける前記ピンの列の歯抜け部によって形成されている。
【図面の簡単な説明】
【０００６】
【図１】図１は、第１の実施形態にかかる事務機の斜視図である。
【図２】図２は、事務機の平面図であって、可動カバーを開いた状態を示す図である。
【図３】図３は、トラクタの斜視図であって、トラクタ用紙がセットされた状態を示す図である。
【図４】図４は、トラクタを示す側面図である。
【図５】図５は、ピンベルトを示す側面図である。
【図６】図６は、図２のＩＶ部を拡大して示す図である。
【図７】図７は、トラクタ用紙が装着された状態のピンベルトを示す平面図である。
【図８】図８は、第２の実施形態のピンベルトを示す側面図である。
【発明を実施するための形態】
【０００７】
以下、図面を参照して、実施形態について詳細に説明する。なお、以下の複数の実施形態には、同様の構成要素が含まれている。よって、以下では、それら同様の構成要素には共通の符号を付与するとともに、重複する説明を省略する。
【０００８】
［第１の実施形態］
まずは、図１ないし図７を参照して第１の実施形態について説明する。なお、図中の矢印Ｆは、事務機の前後方向での前方を示し、矢印Ｗは、事務機の幅方向（別の言い方をすると左右方向）を示している。
【０００９】
図１及び図２に示すように、本実施形態にかかる情報処理装置としての事務機１は、本体部３を備えている。本体部３の筐体２内には、ＣＰＵ（Central  Processing  Unit）、ＲＯＭ（Read  Only  Memory）およびＲＡＭ（Random  Access  Memory）を有する情報処理部（図示せず）と、プリンタ５０と、が収容されている。また、事務機１は、諸情報の入力部としてのキーボード４と、諸情報の出力部（表示部）としてのディスプレイ５と、を備えている。なお、図２では、キーボード４は省略されている。
【００１０】
事務機１のプリンタ５０で印字されるトラクタ用紙（図３参照）６は、切り離し可能なミシン目（図示せず）が長手方向に一定間隔で形成された帯状の用紙である。トラクタ用紙６には、用紙搬送方向と交差する用紙幅方向の両縁部６ａに、複数の送り孔６ｂが用紙搬送方向に沿って形成されている。送り孔６ｂは、トラクタ用紙の長手方向に沿って一定のピッチで形成されている。トラクタ用紙６は、ミシン目を境界としてジグザグに折りたたまれた積層状態で事務機１の横に置かれ、トラクタ９（図２〜７参照）によって搬送されることで上方から順次引き出される。トラクタ用紙６は、一例としては、複数の紙を重ねた伝票用紙として利用される。
【００１１】
筐体２の、ディスプレイ５の反対側となる位置には、トラクタ用紙６の給紙口７が形成されている。そして、筐体２の上方には、給紙口７から筐体２内に取り込まれたトラクタ用紙６がプリンタ５０の印字ヘッド（図示せず）で印字された後に排出される排紙口８が形成されている。
【００１２】
また、筐体２の内部には、トラクタ用紙６を搬送するトラクタ９（図３〜５参照）が収容されている。このトラクタ９には、給紙口７から排紙口８に至る用紙搬送経路１０が形成されている。トラクタ９は、給紙口７から取り込まれたトラクタ用紙６を、用紙搬送経路１０内で、プリンタ５０を介して排紙口８に向けて搬送し、排紙口８から排出する。なお、図示しないが、本実施形態ではディスプレイ５の下方にも給紙口が形成されている。図示しないトラクタ９とは別の搬送機構が、作業者によってディスプレイ５の下の給紙口から挿入された紙をローラ等で搬送し、プリンタ５０を介して排紙口８から排出する。
【００１３】
図３に示すように、トラクタ９は、無端状のピンベルト１４（図４、図５参照）を有する左右一対のベルトユニット１１を備えている。詳細には、ベルトユニット１１は、トラクタ用紙６の幅方向の両縁部６ａに対応する位置にそれぞれ配置されている。一対のベルトユニット１１は、相互の対向方向（図中のＷ方向）と直交する平面について面対称に形成されている。また、ベルトユニット１１は、トラクタ用紙６の幅方向の両縁部６ａに沿って伸びている。そして、ベルトユニット１１は、下方に凸の弓形に湾曲している。また、トラクタ９は、ベルトユニット１１の形状に沿って弓形に湾曲するガイド部１２を備えている。ガイド部１２は、セットされたトラクタ用紙６の幅方向の中間部に対向している。さらに、トラクタ９は、トラクタ用紙６の幅方向に沿って伸びるシャフト１３を備えている。シャフト１３は一対のベルトユニット１１間で架設されている。なお、シャフト１３以外の図示しないシャフトを、ベルトユニット１１間で架設することができる。また、一対のベルトユニット１１は相互に平行に配置されている。そして、トラクタ９は、いずれか一方のベルトユニット１１をシャフト１３に沿ってスライドさせることで相互の間隔を可変設定し、幅の異なるトラクタ用紙６を搬送する。
【００１４】
図３及び図４に示すように、ベルトユニット１１は、ベース１５、固定カバー１６、可動カバー１７、およびローラ保持体１９を備えている。ベース１５は、無端状のピンベルト１４を輪転可能に支持している。また、ベース１５は、固定カバー１６、可動カバー１７、およびローラ保持体１９を支持している。固定カバー１６および可動カバー１７は、ベース１５の上方を間隔をあけて覆っている。ローラ保持体１９は、ローラ１８を有している。ローラ１８は、ピンベルト１４を上方から押圧してピンベルト１４の輪転とともに回転する。
【００１５】
一対のピンベルト１４は、トラクタ用紙６の用紙幅方向で相互に間隔をあけて配置されている。ピンベルト１４は、エラストマ等の可撓性材料で構成されている。ピンベルト１４は、一定幅で帯状のベルト部１４ａと、ベルト部１４ａの外周側の幅方向中央部で周方向に相互に間隔をあけて突出する複数のピン１４ｂと、を有している。ピンベルト１４は、ベース１５に回転可能に支持された複数のローラ２０，２０間で掛け渡されている。そして、ピンベルト１４は、上述したローラ保持体１９のローラ１８によって、ベルトユニット１１の湾曲形状の内側から外側に向けて押圧されている。そして、複数のローラ２０のうち少なくともいずれか一つが、モータや、ギヤ、シャフト等（いずれも図示せず）を介して回転駆動される。本実施形態では、図４で右側に配置したローラ２０Ａが反時計回り方向に回転して、ピンベルト１４を一定の軌跡で輪転させる。ピンベルト１４の上側の架橋部分では、ベルト部１４ａならびに複数のピン１４ｂが図４の左方向へ向けて移動する。すなわち、図４では、トラクタ用紙６の搬送方向は、上流側（給紙口７の近傍）では左方向、長手方向の中間部から下流側（排紙口８の近傍）にかけては左上方向から上方向である。
【００１６】
ピン１４ｂは、トラクタ用紙６の送り孔６ｂに挿入される。一対のピンベルト１４は、ピン１４ｂがトラクタ用紙６の送り孔６ｂに挿入された状態で、輪転することでトラクタ用紙６を搬送する。詳細には、ピンベルト１４の輪転に伴って移動するピン１４ｂに、用紙６の送り孔６ｂの縁が係止される。すなわち、ピン１４ｂによってトラクタ用紙６が牽引されることで、帯状の用紙６が、用紙搬送経路１０に沿って移動する。
【００１７】
ピンベルト１４には、基準部１４ｃが設けられている。基準部１４ｃは、送り孔６ｂに対するピン１４ｂの挿入によるピンベルト１４へのトラクタ用紙６の装着の基準を示すものであり、印である。基準部１４ｃは、一対のピンベルト１４のそれぞれに設けられている。各ピンベルト１４の基準部１４ｃは、ピンベルト１４の輪転方向で各ピンベルト１４の同一位置に設けられている。基準部１４ｃは、ピンベルト１４の列の歯抜け部によって形成されている。この基準部１４ｃは、ピンベルト１４のそれぞれに複数設けられている。本実施の形態では、ピン１４ｂの列において、２ピン又は３ピンおきに、基準部１４ｃが設けられている。
【００１８】
また、固定カバー１６、可動カバー１７、およびローラ保持体１９の下面は、ベース１５の上面１５ａに対してほぼ一定の間隔をあけて対向配置されている。また、トラクタ用紙６は、ベース１５の上面１５ａ上に摺動可能に載置されている。そして、ローラ保持体１９の下面とベース１５の上面１５ａとの間に形成される扁平かつ長い空間が、トラクタ用紙６が搬送される用紙搬送経路１０となっている。
【００１９】
用紙搬送経路１０の少なくとも長手方向中間部では、ピン１４ｂの突出端部側がベース１５の上面より突出している。したがって、この部分では、ピンベルト１４の輪転に伴って移動するピン１４ｂによりトラクタ用紙６の送り孔６ｂの縁が係止される。よって、ピン１４ｂによってトラクタ用紙６が牽引される。なお、トラクタ９は、トラクタ用紙６を輪転するベルト部１４ａ上に載せて搬送してもよい。
【００２０】
可動カバー１７は、図３に示すように、ベルトユニット１１のベース１５にヒンジ部１５ｂを介して回動可能に支持されている。可動カバー１７は、作業者が手指等で加えた力によって、図３中の仮想線で示す起立した開位置と、図３中の実線で示す伏臥した閉位置との間で往復移動する。可動カバー１７が開位置に位置した状態では、ピンベルト１４のピン１４ｂおよび基準部１４ｃが露出する。また、本実施形態では、ヒンジ部１５ｂは各ベルトユニット１１においてトラクタ用紙６の幅方向外側に設けられている。そして、ヒンジ部１５ｂの回動軸はトラクタ用紙６の幅方向両縁部６ａに沿っている。したがって、ベルトユニット１１のそれぞれに設けられた二つの可動カバー１７は、相互に幅方向内側に向かいあうように伏臥した閉位置からトラクタ用紙６の幅方向外側かつ上側に向けて観音開き状に開く。
【００２１】
次に、作業者がトラクタ用紙６をトラクタ９にセットする手順について説明する。まずは、図２に示すように作業者は手指等で可動カバー１７を開き、ピンベルト１４のピン１４ｂおよび基準部１４ｃが露出させる。そして、作業者は、図７に示すように、このピン１４ｂにトラクタ用紙６の送り孔６ｂを外挿して、トラクタ用紙６をピンベルト１４に装着する。なお、図７では、分かりやすくするために、ピン１４ｂに×マークを付している。次に、作業者は、図３に示すように、可動カバー１７を閉じて、トラクタ９へのトラクタ用紙６のセットを完了する。この際、作業者は、左右一対のピンベルト１４で相互に対応する左右の基準部１４ｃを、目や手で確認しながら、ピン１４ｂにトラクタ用紙６の送り孔６ｂを外挿することができる。
【００２２】
以上説明したように、本実施形態のプリンタ５０では、一対のピンベルト１４のそれぞれに設けられた基準部１４ｃが、トラクタ用紙６の送り孔６ｂに対するピン１４ｂの挿入によるピンベルト１４へのトラクタ用紙６の装着の基準を示している。したがって、作業者は、基準部１４ｃを基準として、ピン１４ｂにトラクタ用紙６の送り孔６ｂを外挿することができる。よって、本実施形態のプリンタ５０によれば、プリンタ５０へのトラクタ用紙６のセットの際に、トラクタ用紙６の送り孔６ｂとピンベルト１４のピン１４ｂとの関係が左右でずれてしまうことを抑制して、トラクタ用紙６の装着不良が発生することを抑制することができる。
【００２３】
［第２の実施形態］
次に、図８を参照して、第２の実施形態について説明する。
【００２４】
本実施形態では、基準部が第１の実施形態に対して異なる。本実施形態では、ピンベルト１４の複数のピン１４ｂが、一定の間隔で設けられており、歯抜け部は設けられていない。そして、複数のピン１４ｂのうちの一部が、基準部として機能している。この基準部として機能するピン（以後、符号１４ｂＢを付与する）は、他のピン（以後、符号１４ｂＡを付与する）に対して形態が異なる。詳細には、本実施形態では、基準部として機能するピン１４ｂＢは、他のピン１４ｂＡに対して色が異なる。色の一例としては、他のピン１４ｂＡが白、基準部として機能するピン１４Ｂが黒を挙げることができる。なお、色は、これに限るものでなく、他の色の組み合わせを採用して良い。
【００２５】
以上説明した本実施形態でも、プリンタ５０は、基準部（ピン１４ｂＢ）を備える。したがって、第１の実施形態と同様に、トラクタ用紙６の装着不良が発生することを抑制することができる。
【００２６】
以上の通り、第１及び第２の実施形態によれば、プリンタ５０に対するトラクタ用紙６の装着不良が発生することを抑制することができる。
【００２７】
以上、実施形態について説明したが、実施形態は、上記各実施形態には限定されるものではない。例えば、基準部として機能するピンは、他のピンと断面や外面形状等の形状が異なるものであっても良い。
【符号の説明】
【００２８】
１…事務機（情報処理装置）
６…トラクタ用紙
６ｂ…送り孔
１４…ピンベルト
１４ｂ…ピン
１４ｂＢ…ピン（基準部）
１４ｃ…基準部
５０…プリンタ
【先行技術文献】
【特許文献】
【００２９】
【特許文献１】特開２００８−７３０１公報
【図１】
0005312415.tif 000002
【図２】
0005312415.tif 000003
【図３】
0005312415.tif 000004
【図４】
0005312415.tif 000005
【図５】
0005312415.tif 000006
【図６】
0005312415.tif 000007
【図７】
0005312415.tif 000008
【図８】
0005312415.tif 000009